(57)【特許請求の範囲】
【請求項１】
地面の下に埋設される防水パネルケース内に、複数の防水パネルが双胴防水ゴムジョイントによって角柱及び継ぎ柱を介して連結された状態でそれぞれ出し入れ自在に収納されてなり、
前記角柱と前記継ぎ柱及び前記防水パネルには、その頂部にそれぞれ取手が設けられると共に高さ方向に沿って位置決め溝が設けられ、
前記防水パネルケースの上面には、前記位置決め溝と係合するストッパーが設けられ、それにより、前記角柱と前記継ぎ柱及び前記防水パネルを所定の高さ位置まで上方に引き出すと前記ストッパーが前記位置決め溝と係合してその位置で固定可能としたことを特徴とする路面埋設引上げ式防水パネル装置。
【請求項２】
請求項１に記載の路面埋設引上げ式防水パネル装置において、
前記防水パネルには、その下部側の両面に当該防水パネルが前記防水パネルケースから抜脱するのを防止する抜け防止突起レールが設けられると共に、前記防水パネルケースには、その上部側の内壁面に前記抜け防止突起レールと当接するパネルストッパー突起レールが設けられていることを特徴とする路面埋設引上げ式防水パネル装置。
【請求項３】
請求項１又は２に記載の路面埋設引上げ式防水パネル装置において、
前記継ぎ柱には、前記双胴防水ゴムジョイントによって前記防水パネルを連結するための溝が２又は３箇所に設けられていることを特徴とする路面埋設引上げ式防水パネル装置。
【請求項４】
請求項１〜３のいずれか１項に記載の路面埋設引上げ式防水パネル装置において、
前記防水パネルを連結する前記角柱のうち両端に位置する角柱が地上に立設された柱又は壁面に固定される固定柱とされていることを特徴とする路面埋設引上げ式防水パネル装置。
【請求項５】
請求項１〜４のいずれか１項に記載の路面埋設引上げ式防水パネル装置において、
前記防水パネルには、その下端縁部に当該防水パネルを上方に引き出す際の横ブレを防止するための横ブレ安定突起レールを備えてなることを特徴とする路面埋設引上げ式防水パネル装置。
【請求項６】
請求項１〜５のいずれか１項に記載の路面埋設引上げ式防水パネル装置において、
前記防水パネルの上部頂面には、防水パネル補強板が設けられていることを特徴とする路面埋設引上げ式防水パネル装置。
【発明の詳細な説明】
【０００１】
【発明の属する技術分野】
本発明は、路面埋設引上げ式防水パネル装置に関し、さらに詳しくは、大雨、集中豪雨で増水する水の地下公共施設、地下駐車場、地下商店街、店舗、一般住宅等への浸水を遮断、防護する路面埋設引上げ式防水パネル装置に関する。
【０００２】
【従来の技術】
従来、大雨、集中豪雨等における地下施設等への雨水浸入時の緊急対策は、昔ながらの大量の土のう積上げによって対応しているが、大勢の人間の力を必要とし、土のうの運搬等に時間が掛かり過ぎ、雨水の浸入対策の遅れから過去にも多くの犠牲者が出ている。そこで大雨時に即対応できる浸水防護対策が急務とされている。
【０００３】
【発明が解決しようとする課題】
大雨での増水時の施設への浸水防護対策には即対応できる装置が必要となる。従来のような大量の土のうの運搬には時間と大勢の人間の力が必要となる。又地下施設の特殊な空間の中で働く人々には、地上での大雨による増水の危険性も予測できず、浸水等で初めてパニックが起きる。浸水等の防護安全対策として防水パネル装置等の設置が急務とされる。
【０００４】
ビルが林立し、アスファルト道路に排水等が完備されている都会では、街全体がコンクリートで出来ているため、多少の雨でも地中への水の浸透が全くない。そのため大雨、集中豪雨では車道、歩道等にも水溜りができ始め、排水溝から水があふれ、逆流するなど、低い場所等の構造物の床下、床上浸水、又地下施設等への浸水事故が起きている。そこで、雨水対策が急務である。
【０００５】
【課題を解決するための手段】
上記課題を解決するため請求項１に記載の本発明は、地面の下に埋設される防水パネルケース内に、複数の防水パネルが双胴防水ゴムジョイントによって角柱及び継ぎ柱を介して連結された状態でそれぞれ出し入れ自在に収納されてなり、角柱と継ぎ柱及び防水パネルには、その頂部にそれぞれ取手が設けられると共に高さ方向に沿って位置決め溝が設けられ、防水パネルケースの上面には、位置決め溝と係合するストッパーが設けられ、それにより、角柱と継ぎ柱及び防水パネルを所定の高さ位置まで上方に引き出すとストッパーが位置決め溝と係合してその位置で固定可能としたことを特徴とする路面埋設引上げ式防水パネル装置を提供する。
【０００６】
本発明に係る路面埋設引上げ式防水パネル装置は、大雨等での浸水防護のため、地下施設、構造物等の出口付近、又は全体を取り囲む方法で路面下に埋設する。防水パネルと、付随する柱類等は防水パネルケース内に収納する。又それぞれ付随する柱類と防水パネルを双胴防水ゴムジョイントで結合することで、全体の防水機能を奏することが出来る。この一部の取手部分等の装置を路面上に出し、後は防水パネルケース全体を土中に埋設する。又大雨等で浸水の恐れが出て来た時に路面に設置した柱類の取手と防水パネルの取手を引き上げるだけで雨水等の浸入を完全に防護できる。
【０００７】
上記課題を解決するため請求項２に記載の本発明は、請求項１に記載の路面埋設引上げ式防水パネル装置において、防水パネルには、その下部側の両面に防水パネルが防水パネルケースから抜脱するのを防止する抜け防止突起レールが設けられると共に、防水パネルケースには、その上部側の内壁面に抜け防止突起レールと当接するパネルストッパー突起レールが設けられていることを特徴とする。
【０００８】
上記課題を解決するため請求項３に記載の本発明は、請求項１又は２に記載の路面埋設引上げ式防水パネル装置において、継ぎ柱には、双胴防水ゴムジョイントによって防水パネルを連結するための溝が２又は３箇所に設けられていることを特徴とする。
【０００９】
上記課題を解決するため請求項４に記載の本発明は、請求項１〜３のいずれか１項に記載の路面埋設引上げ式防水パネル装置において、防水パネルを連結する角柱のうち両端に位置する角柱が地上に立設された柱又は壁面に固定される固定柱とされていることを特徴とする。
【００１０】
上記課題を解決するため請求項５に記載の本発明は、請求項１〜４のいずれか１項に記載の路面埋設引上げ式防水パネル装置において、防水パネルには、その下端縁部に防水パネルを上方に引き出す際の横ブレを防止するための横ブレ安定突起レールを備えてなることを特徴とする。
【００１１】
上記課題を解決するため請求項６に記載の本発明は、請求項１〜５のいずれか１項に記載の路面埋設引上げ式防水パネル装置において、防水パネルの上部頂面には、防水パネル補強板が設けられていることを特徴とする。
【００１２】
【発明の実施の形態】
上記のように形成された路面埋設引上げ式防水パネル装置は雨の水量にあわせ多段式に引上げが調整できる安全構造である。海抜の低い場所、地盤の低い地形又場所に立つ建造物又地下施設、構造物等の床上、床下浸水の危険性のある場所の出入口付近全体を囲む方法で路面下に埋設する。又路面と平行に施工埋設した装置は歩行等には支障にならない。大雨時等の利用では、初めに柱類を先に引き上げる。後は防水パネルを引き上げるだけで防水装置が完了する。又使用後には柱類のストッパーと防水パネルのストッパーを外し、防水パネルと柱類を路面下に収納する。以上のごとく緊急事態にも即対応できる装置である。
【００１３】
【実施例】
以下、本発明に係る路面埋設引上げ式防水パネル装置の好ましい一実施例を図面に基づいて説明する。図示された路面埋設引上げ式防水パネル装置は、概略として、壁面固定柱１と、角柱２と、継ぎ柱６と、防水パネル１０と、防水パネルケース１５とを備えて構成されている。
壁面固定柱１には、丸溝３が設けられており、これを図示しない建造物又は構造物の側壁に固定する。角柱２にも二本の丸溝３を設けると共に、継ぎ柱６にも二本又は三本の丸溝３を設ける。そして、防水パネル１０の両端にも同様に丸溝３を設ける。角柱２と継ぎ柱６の丸溝３と防水パネル１０の両端の丸溝３に双胴防水ゴムジョイント１１を挿入することによって互いを結合すると同時に防水機能を発揮させる。尚、防水パネル１０は、防水機能が高く高水圧に耐えられる頑丈で堅牢な構造体により形成されている。
【００１４】
一方、それぞれの角柱２及び継ぎ柱６の上には取手付きカバー４がネジ止めされている。また、防水パネル１０の上部頂面には、防水パネル補強板７が設けられていると共に、ジョイント入れ替えカバー８がネジ止めされている。防水パネル補強板７には防水パネルを引き出すための取手９が設けられている。壁面固定柱１、角柱２及び継ぎ柱６の要所々々には位置決め溝５が設けられている。また、防水パネル１０にも壁面固定柱１、角柱２及び継ぎ柱６の柱類に設けられた位置決め溝５と並行した所に位置する部分にパネル位置決め溝１２が設けられている。
【００１５】
路面１９の下に埋設する防水パネルケース１５には、角柱２と継ぎ柱６及び防水パネル１０が出し入れ自在に収納される。防水パネルケース１５の上面部には、ストッパー１８がパネル位置決めの溝１２及び位置決め溝５と係合可能に設けられている。また、防水パネル１０の下部両面には抜け防止突起レール１３が設けられると共に、末端部分すなわち下端縁部には横ブレ安定突起レール１４が設けられている。そして、防水パネルケース１５の上部両面には防水パネル１０を両面から挟む状態に防水パッキン１７が設けられている。さらに、防水パネルケース１５の上部側の内壁面には抜け防止突起レール１３と当接するパネルストッパー突起レールを１６が設けられている。
【００１６】
【発明の効果】
本発明は以上に説明したように構成されているので、以下に記載するような効果を奏する。地下施設、構造物への浸水を防ぐ工法の路面埋設引上げ式防水パネル装置では突然の大雨でも路面に接する防水パネル装置を地上に引き上げることで即対応ができ、又防水機能が高く高水圧に耐えられる頑丈で堅牢な構造体であり、浸水を確実に防止できるという効果がある。
【図面の簡単な説明】
【図１】  路面下に埋設した角柱と継ぎ柱の間の防水パネルを引き上げた状態を示す正面から見た斜視図である。
【図２】  防水パネルケースに収納した防水パネルと結合した双胴防水ゴムジョイントを示す斜視図である。
【図３】  防水パネルケースから双胴防水ゴムパッキンを結合した防水パネルを引き上げた状態を示す斜視図である。
【図４】  角柱に結合した左右の二枚の防水パネルの一方は防水パネルケース内に、もう一方は防水パネルを途中まで引き上げた状態を示す斜視図である。
【図５】  壁面固定柱、角柱、継ぎ柱、三方継部分を双胴防水ゴムジョイントで防水パネルを結合した状態を示す平面断面図である。
【符号の説明】
１      壁面固定柱
２      角柱
３      丸溝
４      取手付きカバー
５      位置決め溝
６      継ぎ柱
７      防水パネル補強板
８      ジョイント入替カバー
９      取手
１０      防水パネル
１１      双胴防水ゴムジョイント
１２      パネル位置決め溝
１３      抜け防止突起レール
１４      横ブレ安定突起レール
１５      防水パネルケース
１６      パネルストッパー突起レール
１７      防水パッキン
１８      ストッパー
１９      路面
【図１】
0003827550.tif 000002
【図２】
0003827550.tif 000003
【図３】
0003827550.tif 000004
【図４】
0003827550.tif 000005
【図５】
0003827550.tif 000006